(57)【要約】【課題】  カウンターが洗面ボールの上端よりも実質的に高い位置に設けられ、オープンカウンタータイプにもキャビネットタイプにも共通して適用可能なカウンターユニット。【解決手段】  洗面ボール（２）の両側に配置されたカウンター（３Ｒ，３Ｌ）を備えた洗面化粧台のカウンターユニット（１）。カウンターは、洗面ボールの上端よりも実質的に高い位置に設けられている。カウンターユニットの底部には、カウンターユニットの壁（Ｗ）への取付けに用いられる開口部付きの底板（７）が設けられている。一対の取付け金具（９）を横方向に間隔を隔てて壁にそれぞれ取り付け、一対の取付け金具の水平部分に底板を載置した状態でカウンターユニットを壁または一対の取付け金具に取り付ける。【選択図】  図３
2006006814.tif 000002
【特許請求の範囲】
【請求項１】
洗面ボールと該洗面ボールの両側に配置されたカウンターとを備えた洗面化粧台のカウンターユニットにおいて、
前記カウンターは、前記洗面ボールの上端よりも実質的に高い位置に設けられ、
前記カウンターユニットの底部には、前記カウンターユニットの壁への取付けに用いられる開口部付きの底板が設けられていることを特徴とするカウンターユニット。
【請求項２】
請求項１に記載のカウンターユニットを壁に取り付ける取付け方法において、
一対の取付け金具を横方向に間隔を隔てて前記壁にそれぞれ取り付け、
前記一対の取付け金具の水平部分に前記底板を載置した状態で、前記カウンターユニットを前記壁または前記一対の取付け金具に取り付けることを特徴とする取付け方法。
【請求項３】
前記取付け金具は、前記壁にほぼ当接する壁当接部と、前記底板にほぼ当接する底板当接部と、前記壁当接部の下端近傍と前記底板当接部の前端近傍とを連結する連結部とを有することを特徴とする請求項２に記載の取付け方法。
【発明の詳細な説明】
【技術分野】
【０００１】
本発明は、洗面化粧台のカウンターユニットに関するものである。
【背景技術】
【０００２】
従来、洗面ボールの両側にカウンターが設けられたタイプの洗面化粧台のカウンターユニットが知られている。この場合、化粧品や洗顔時のタオルなどを一時的に置くことができるようにカウンターが比較的広く確保され、カウンターの下側に引出し収納部が設けられている場合が多い。
【発明の開示】
【発明が解決しようとする課題】
【０００３】
従来のカウンターユニットでは、カウンターが洗面ボールの上端とほぼ同じ高さ位置に設けられているため、カウンターが洗面ボールからの水ハネの影響を受け易く、カウンターが濡れたままに放置されることが多い。その結果、濡らしたくない物、たとえば化粧品や洗顔時のタオルや入浴時の着替えなどを、カウンターに一時的に置くことができない。
【０００４】
そこで、洗面ボールからの水ハネの影響を受け難くするために、カウンターを洗面ボールの上端よりも実質的に高い位置に設ける構成が考えられる。しかしながら、この構成を採用すると、カウンターの下側の引出し収納部の収納高さが大きくなり、カウンターユニットが大型化する。
【０００５】
一般に、洗面化粧台には、カウンターユニットの下側にベースキャビネットが設けられていないオープンカウンタータイプや、ベースキャビネットの上にカウンターユニットが設けられるキャビネットタイプタイプがあるが、大型のカウンターユニットをオープンカウンタータイプにもキャビネットタイプにも共通して適用するには工夫を要する。
【０００６】
本発明は、前述の課題に鑑みてなされたものであり、カウンターが洗面ボールの上端よりも実質的に高い位置に設けられ、オープンカウンタータイプにもキャビネットタイプにも共通して適用可能なカウンターユニットを提供することを目的とする。
【課題を解決するための手段】
【０００７】
前記課題を解決するために、本発明の第１形態では、洗面ボールと該洗面ボールの両側に配置されたカウンターとを備えた洗面化粧台のカウンターユニットにおいて、
前記カウンターは、前記洗面ボールの上端よりも実質的に高い位置に設けられ、
前記カウンターユニットの底部には、前記カウンターユニットの壁への取付けに用いられる開口部付きの底板が設けられていることを特徴とするカウンターユニットを提供する。
【０００８】
本発明の第２形態では、第１形態のカウンターユニットを壁に取り付ける取付け方法において、
一対の取付け金具を横方向に間隔を隔てて前記壁にそれぞれ取り付け、
前記一対の取付け金具の水平部分に前記底板を載置した状態で、前記カウンターユニットを前記壁または前記一対の取付け金具に取り付けることを特徴とする取付け方法を提供する。
【０００９】
第２形態の好ましい態様によれば、前記取付け金具は、前記壁にほぼ当接する壁当接部と、前記底板にほぼ当接する底板当接部と、前記壁当接部の下端近傍と前記底板当接部の前端近傍とを連結する連結部とを有する。
【発明の効果】
【００１０】
本発明にかかる洗面化粧台のカウンターユニットでは、洗面ボールの両側に配置されたカウンターが、洗面ボールの上端よりも実質的に高い位置に設けられている。そして、カウンターユニットの底部には、カウンターユニットの壁への取付けに用いられる開口部付きの底板が設けられている。
【００１１】
したがって、オープンカウンタータイプ（カウンターユニットの下側にベースキャビネットが設けられていないタイプ）の洗面化粧台に適用する場合、たとえば一対の取付け金具を横方向に間隔を隔てて壁にそれぞれ取り付け、一対の取付け金具の水平部分に底板を載置した状態でカウンターユニットを壁または一対の取付け金具に取り付けることにより、本発明のカウンターユニットを壁に取り付けることができる。
【００１２】
一方、キャビネットタイプ（ベースキャビネットの上にカウンターユニットを設けるタイプ）の洗面化粧台に適用する場合、底部に底板が設けられてベースキャビネットとは別体であるカウンターユニットをベースキャビネットの上に載置した状態で互いに適宜連結することにより、本発明のカウンターユニットをベースキャビネットの上に取り付けることができる。
【００１３】
すなわち、本発明のカウンターユニットは、オープンカウンタータイプにもキャビネットタイプにも共通して適用可能である。そして、オープンカウンタータイプに適用する場合、洗面ボールの上端よりも実質的に高い位置にカウンターが設けられて大型化し易いカウンターユニットを、開口部付きの底板を利用して容易に且つ安定的に壁に取り付けることができる。この場合、底板に開口部が設けられているので、カウンターユニットのメンテナンスおよび施工を容易に行うことができ、作業性が向上する。
【００１４】
また、キャビネットタイプに適用する場合、ベースキャビネットとは別体であるカウンターユニットをベースキャビネットの上に載置した状態で互いに連結しているので、メンテナンスや部品交換などに際して、カウンターユニットだけをベースキャビネットから取り外すことができる。換言すれば、カウンターユニットのメンテナンスや部品交換などに際して、ベースキャビネットを取り外したり移動させたり必要がないため、床や壁などを傷付けることなく作業を行うことができる。
【００１５】
なお、本発明では、取付け金具が、壁にほぼ当接する壁当接部と、底板にほぼ当接する底板当接部と、壁当接部の下端近傍と底板当接部の前端近傍とを連結する連結部とを有することが好ましい。この構成により、いわゆるアングル状の取付け金具と開口部付きの底板とを利用して、カウンターユニットを容易に且つ安定的に壁に取り付けることができる。
【発明を実施するための最良の形態】
【００１６】
本発明の実施形態を、添付図面に基づいて説明する。
図１は、本発明の実施形態にかかるカウンターユニットを備えた洗面化粧台の構成を概略的に示す斜視図である。また、図２は、本実施形態にかかるカウンターユニットの構成を図１とは異なる角度で上側から概略的に示す斜視図である。また、図３は、本実施形態にかかるカウンターユニットの構成を下側から概略的に示す斜視図である。
【００１７】
図１を参照すると、本実施形態の洗面化粧台ＳＫは、洗面室の床面Ｆ上に設置されたベースキャビネット１０と、このベースキャビネット１０の上に載置されたカウンターユニット１とを備えている。カウンターユニット１の上側には、図中右側から順に、１つのミラー付きの片開き扉を有するサイドミラーキャビネット１１と、３つのミラー付きの片開き扉を有する中央ミラーキャビネット１２と、サイドミラー１３とが設けられている。
【００１８】
また、中央ミラーキャビネット１２の上側には、その幅のほぼ全体に亘って水平方向に延びる照明部１４が取り付けられている。さらに、ベースキャビネット１０およびカウンターユニット１の左側には、上下に間隔を隔てた一対のミラーを有し且つ床面Ｆからサイドミラーキャビネット１１の上端（ひいては照明部１４やサイドミラー１３の上端）まで細長く延びるトールキャビネット１５が設けられている。
【００１９】
図２を参照すると、本実施形態のカウンターユニット１は、その中央に設けられた洗面ボール２と、洗面ボール２の右側に配置された右側カウンター３Ｒと、洗面ボール２の左側に配置された左側カウンター３Ｌとを備えている。ここで、右側カウンター３Ｒと左側カウンター３Ｌとは互いに同じ高さ位置に設けられている。
【００２０】
そして、右側カウンター３Ｒおよび左側カウンター３Ｌは、洗面ボール２の上端よりも実質的に高い位置に設けられている。また、洗面ボール２の底部には排水口２ａが設けられ、洗面ボール２の上側には水栓ユニット４が設けられている。さらに、右側カウンター３Ｒの下側には右側引出し収納部５Ｒが設けられ、左側カウンター３Ｌの下側には左側引出し収納部５Ｌが設けられている。
【００２１】
また、洗面ボール２と左側カウンター３Ｌとの間において洗面ボール２のほぼ上端の高さ位置には、左側補助カウンター６Ｌが設けられている。同様に、洗面ボール２と右側カウンター３Ｒとの間において洗面ボール２のほぼ上端の高さ位置には、右側補助カウンター６Ｒ（不図示）が設けられている。なお、洗面ボール２の奥側において、左側補助カウンター６Ｌよりも僅かに低い高さ位置には、オーバーフロー２ｂが設けられている。
【００２２】
図３を参照すると、本実施形態のカウンターユニット１の底部には、カウンターユニット１の壁への取付けに用いられる開口部付きの底板７が設けられている。具体的に、底板７には、洗面ボール２からの排水管８の領域に大きな開口部が形成され、この大きな開口部を挟むように横方向に間隔を隔てて取付け用の底板領域７Ｒおよび７Ｌが設けられている。
【００２３】
以下、図３〜図５を参照して、オープンカウンタータイプの洗面化粧台に本実施形態を適用する方法、すなわち本実施形態のカウンターユニット１を壁に取り付ける方法について説明する。本実施形態では、先ず、一対の取付け金具９を横方向に間隔を隔てて（すなわち横方向に間隔を隔てた取付け用の底板領域７Ｒおよび７Ｌに対応するように）壁Ｗにそれぞれ取り付ける。
【００２４】
取付け金具９は、全体的にアングル状の形態を有し、壁Ｗにほぼ当接する壁当接部９ａと、底板７の底板領域７Ｒまたは７Ｌにほぼ当接する底板当接部９ｂと、壁当接部９ａの下端近傍と底板当接部９ｂの前端近傍とを連結する連結部９ｃとにより構成されている。したがって、取付け金具９を壁Ｗに取り付ける際、たとえば複数のビスを用いて壁当接部９ａの部分を壁Ｗにほぼ当接させた状態で固定する。
【００２５】
次いで、一対の取付け金具９の水平部分である底板当接部９ｂの上に底板７を載置した状態で、カウンターユニット１を一対の取付け金具９に取り付ける。すなわち、たとえば複数のビスを用いて、底板領域７Ｒまたは７Ｌと底板当接部９ｂとをネジ締結する。あるいは、取付け金具９の底板当接部９ｂの上に底板領域７Ｒまたは７Ｌを載置した状態で、カウンターユニット１を壁Ｗに取り付けることもできる。
【００２６】
いずれの場合も、底板当接部９ｂに適当なアジャスト機構を設け、このアジャスト機構の作用によりカウンターユニット１を水平に支持することが好ましい。なお、図５に示すように、本実施形態のカウンターユニット１を壁Ｗに取り付けてオープンカウンタータイプの洗面化粧台に適用する場合、カウンターユニット１の洗面ボール２から床面Ｆへ延びる排水管８の大部分は、配管カバー８ａにより覆われる。
【００２７】
一方、本実施形態のカウンターユニット１をキャビネットタイプに適用する場合、図６に示すように、底部に底板７が設けられてベースキャビネット１０とは別体であるカウンターユニット１をベースキャビネット１０の上に載置した状態で、たとえば複数のビスを用いて互いに適宜連結することにより、カウンターユニット１をベースキャビネット１０の上に取り付けることができる。
【００２８】
以上のように、本実施形態にかかるカウンターユニット１では、オープンカウンタータイプの洗面化粧台に適用する場合、一対の取付け金具９を横方向に間隔を隔てて壁Ｗにそれぞれ取り付ける。次いで、一対の取付け金具９の水平部分である底板当接部９ｂに底板７を載置した状態でカウンターユニット１を壁Ｗまたは一対の取付け金具９に取り付けることにより、本実施形態のカウンターユニット１を壁Ｗに取り付けることができる。
【００２９】
一方、キャビネットタイプの洗面化粧台に適用する場合、底部に底板７が設けられてベースキャビネット１０とは別体であるカウンターユニット１をベースキャビネット１０の上に載置した状態で互いに適宜連結することにより、本実施形態のカウンターユニット１をベースキャビネット１０の上に取り付けることができる。すなわち、本実施形態のカウンターユニット１は、オープンカウンタータイプにもキャビネットタイプにも共通して適用可能である。
【００３０】
そして、オープンカウンタータイプに適用する場合、洗面ボール２の上端よりも実質的に高い位置にカウンター（３Ｒ，３Ｌ）が設けられて大型化し易いカウンターユニット１を、開口部付きの底板７を利用して容易に且つ安定的に壁Ｗに取り付けることができる。この場合、底板７に開口部が設けられているので、カウンターユニット１のメンテナンスおよび施工を容易に行うことができる。
【００３１】
また、キャビネットタイプに適用する場合、ベースキャビネット１０とは別体であるカウンターユニット１をベースキャビネット１０の上に載置した状態で互いに連結しているので、メンテナンスや部品交換などに際して、カウンターユニット１だけをベースキャビネット１０から取り外すことができる。すなわち、カウンターユニット１のメンテナンスや部品交換などに際して、ベースキャビネット１０を取り外したり移動させたりする必要がないため、床や壁などを傷付けることなく作業を行うことができる。
【００３２】
また、本実施形態では、カウンター（３Ｒ，３Ｌ）が洗面ボール２の上端よりも実質的に高い位置に設けられているので、カウンター（３Ｒ，３Ｌ）が洗面ボール２からの水ハネの影響を受け難く、たとえば化粧品や洗顔時のタオルや入浴時の着替えなどのように濡らしたくない物も、カウンター（３Ｒ，３Ｌ）に一時的に置くことができる。
【００３３】
また、本実施形態では、洗面ボール２とカウンター（３Ｒ，３Ｌ）との間において洗面ボール２のほぼ上端の高さ位置に補助カウンター（６Ｒ，６Ｌ）が設けられているので、歯磨き用のコップや石鹸や毛染め用のブラシなどのような濡れ物を、補助カウンター（６Ｒ，６Ｌ）に一時的に置くことができる。また、たとえば補助カウンター（６Ｒ，６Ｌ）に直接シャワー水をかけることにより、カウンター（３Ｒ，３Ｌ）を濡らすことなく補助カウンター（６Ｒ，６Ｌ）だけを洗い流して洗浄することができる。
【００３４】
また、本実施形態では、カウンター（３Ｒ，３Ｌ）の下側に、引出し収納部（５Ｒ，５Ｌ）が設けられている。この場合、カウンター（３Ｒ，３Ｌ）が洗面ボール２の上端よりも実質的に高い位置に設けられているので、比較的背の高い収納部（５Ｒ，５Ｌ）を確保することができ、洗面化粧台ＳＫにおいて比較的使用頻度の高い整髪料や化粧品やドライヤーなどを無理なく収納することができる。
【００３５】
また、従来技術において例えばミラーの裏側の収納棚（本実施形態の中央ミラーキャビネット１２に対応）に収納していた使用頻度の高い物を、カウンター（３Ｒ，３Ｌ）の下側の引出し収納部（５Ｒ，５Ｌ）に収納することになる。その結果、使用する高さ位置と収納する高さ位置がほぼ同じになるので自然な姿勢で物を取り出したり収納したりすることが可能になるとともに、ミラーの裏側の収納棚よりもかなり簡単な動作により物を取り出したり収納したりすることが可能になる。
【００３６】
具体的に、ミラーの裏側の収納棚を用いる場合、ミラー付きの片開き扉を開き、使用したい物を棚から取り出し、ミラーを見るためにミラー付きの片開き扉を閉じ、ミラー付きの片開き扉を開き、使用した物を棚に収納し、ミラー付きの片開き扉を閉じる必要がある。これに対し、カウンター（３Ｒ，３Ｌ）の下側の引出し収納部（５Ｒ，５Ｌ）を用いる場合、収納部（５Ｒ，５Ｌ）を引き出して開け、使用したい物を収納部（５Ｒ，５Ｌ）から取り出し、使用した物を収納部（５Ｒ，５Ｌ）に収納し、収納部（５Ｒ，５Ｌ）を押し入れて閉じるだけでよい。
【図面の簡単な説明】
【００３７】
【図１】本発明の実施形態にかかるカウンターユニットを備えた洗面化粧台の構成を概略的に示す斜視図である。
【図２】本実施形態にかかるカウンターユニットの構成を図１とは異なる角度で上側から概略的に示す斜視図である。
【図３】本実施形態にかかるカウンターユニットの構成を下側から概略的に示す斜視図である。
【図４】本実施形態にかかるカウンターユニットを壁に取り付けた状態を概略的に示す断面図である。
【図５】本実施形態にかかるカウンターユニットをオープンカウンタータイプの洗面化粧台に適用した例を概略的に示す斜視図である。
【図６】本実施形態にかかるカウンターユニットをキャビネットタイプの洗面化粧台に適用する様子を概略的に示す図である。
【符号の説明】
【００３８】
１  カウンターユニット
２  洗面ボール
３Ｒ，３Ｌ  カウンター
４  水栓ユニット
５Ｒ，５Ｌ  引出し収納部
６Ｒ，６Ｌ  補助カウンター
７  開口部付きの底板
７Ｒ，７Ｌ  取付け用底板領域
８  排水管
８ａ  配管カバー
９  取付け金具
９ａ  壁当接部
９ｂ  底板当接部
９ｃ  連結部
ＳＫ  洗面化粧台
Ｆ  洗面室の床面
Ｗ  洗面室の壁
１０  ベースキャビネット
１１  サイドミラーキャビネット
１２  中央ミラーキャビネット
１３  サイドミラー
１４  照明部
１５  トールキャビネット
【図１】
2006006814.tif 000003
【図２】
2006006814.tif 000004
【図３】
2006006814.tif 000005
【図４】
2006006814.tif 000006
【図５】
2006006814.tif 000007
【図６】
2006006814.tif 000008